(57)【特許請求の範囲】
【請求項１】
少なくとも前身頃（２）及び後身頃（１）が縫製されているズボンにおいて、後身頃のウエストベルト位置（３）の脇線（７）下方に形成された第一のタック（５）と、第一のタックより下側に第二のタック（６）とを備えてなることを特徴とする腰の曲がった人用のズボン。
【請求項２】
第一のタック（５）はウエスト位置（３）より３．０ｃｍの距離（Ｌ１）だけ離れて形成され、第二のタック（６）は、第一のタック（５）より１．５〜２．０ｃｍの距離（Ｌ２）だけ離れて形成されたことを特徴とする請求項１記載の腰の曲がった人用のズボン。
【請求項３】
第一及び第二のタック（５，６）の幅（Ｔ１，Ｔ２）は腰の曲がり具合に合わせて３．０〜４．０ｃｍとすることを特徴とする請求項１又は２記載の腰の曲がった人のズボン。
【発明の詳細な説明】
【技術分野】
【０００１】  本発明は腰がくの字に曲がった人（特に高齢者）のウエストライン（８）から腰部全体を覆うように形成されたズボンである。
【背景技術】
【０００２】従来のズボンを腰の曲がった人が着用することにより問題点があった。【０００３】  問題点の１つは、くの字に曲がった人のウエストライン（８）に従来のズボンのウエスト部分が到達せず（図２）脱落することで腰部が露出することになり肌や下着の露出による不快感また露出の恐れを気にしなくてはならないという煩わしさを感じながらの着用していた。【０００４】  問題点の２つは、図２に示すように、腰部の露出により冷えを感じるという欠点があった。【０００５】  腰の丸い人のためのズボンとして特許文献１があるが、後身頃と前身頃の長さを変えただけでは湾曲した腰部に対応せず静止状態においてはウエストライン（８）まで到達するがカーブに対応しないためかがんだ姿勢で物を拾うなどの簡単な運動により脱落することがあり、脱落の恐れを気にしなくてはならないという煩わしさが残るという欠点がある。
【特許文献１】登録実用新案第３０９３８１３号
【発明の開示】
【発明が解決しようとする課題】
【０００６】  解決しようとしている問題点は、腰がくの字に曲がった人（特に高齢者）が健常者（腰が曲がっていない人）と同じズボンを着用時（図２）に脱落し背面や腰部が露呈するために生じる煩わしさと、これにより冷えを感じる点である。
【課題を解決するための手段】
【０００７】  本発明は後身頃（１）につけた２本のタック（５，６）により立体的な腰部の湾曲に対応させる（図３）ことを最も主要な特徴とする。
【発明の効果】
【０００８】  腰の曲がった人の立体的な腰部にあらかじめ後身頃の脇線にタックを入れることで腰部が露出し下着や肌が露出することによる煩わしさや冷えを感じることをなくし、腰の曲がった人本来のウエストライン（８）にズボンのウエストベルト部分（３）が到達することになり、さらに腰部の湾曲に対応するためにあらかじめ立体的な形状がタックにより形成されることで腰部の湾曲に密着し運動時に脱落する煩わしさや腰の冷えを感じることが無い。【０００９】  本実施の形態の腰の曲がった人のズボンは少なくとも前身頃及び後身頃が縫製されているズボンにおいて、後身頃の脇にベルト付け位置３の近傍に形成された第一のタック５と、第一のタックより下側に形成された第二のタック６とを備えてなるものである。
タックの数を２本としているのは腰部の湾曲により生じる後身頃と前身頃の丈の差が９ｃｍ〜１１ｃｍ位（Ｌ６）の方が最も多く従来の製図で設定されている後身頃と前身頃の丈の差（Ｌ５）は３ｃｍが一般的である。タックの大きさ（Ｔ１及びＴ２）は３．０ｃｍ〜４．０ｃｍ位が全体のバランスが崩れない範囲であるので
Ｌ６（９ｃｍ〜１１ｃｍ）−Ｌ５（従来の製図で設定されている後身頃と前身頃の丈の差）＝Ｌ３（６ｃｍ〜８ｃｍ）＝従来の製図より延長が必要な長さ
６ｃｍ〜８ｃｍ÷３ｃｍ〜４ｃｍ（好ましいタックの大きさＴ１及びＴ２）＝２本としている。【００１０】  第一のタック５の位置は後身頃ウエストベルト付け位置３の近傍で脇のなるべく高い位置であるのが好ましく（３）より３ｃｍ下方の距離（Ｌ１）に取る。その理由はベルトの縫製と重なることの無い最短の距離であり、縫製の重なりにより生地に厚さが生じることによる着用時の不快感を損ねることの無い最短距離であるためである。【００１１】第二のタック６の位置は第一のタック５より１．５ｃｍ〜２．０ｃｍの距離（Ｌ２）に取る。その理由は第一のタック５と第二のタック６の距離は腰の丸い人の腰部の湾曲により短いことが好ましくＬ２＝２ｃｍは第一のタックと第二のタックの縫製が重なることによる厚さが生じることの無い最短の距離であるためである。
Ｌ２＝３ｃｍ〜４ｃｍ（Ｔ１及びＴ２の幅）÷２（タックは折り重ねて縫製するため）【００１２】  なお、タックの数は２本としているが、腰部の曲がり具合に応じてタックをさらに形成して３本とすることもできる。この場合該当者は前身頃と後身頃の着丈の差が１１ｃｍを著しく超過している者となる。（圧迫骨折などにより著しく腰椎や脊柱が湾曲している人などが対象となる）【００１３】  次にズボンの作成方法を説明する。
（イ）後身頃１の総丈（Ｌ４）は出来上がり丈（Ｌ）に従来の製図に設定されている前身頃と後身頃の丈の差（Ｌ５＝一般的に３ｃｍ）第一タック５の幅（Ｔ１）と第二タック６の幅（Ｔ２）を加えたものとなる（Ｌ４＝Ｌ＋Ｌ５＋Ｔ１＋Ｔ２）。
（ロ）第一のタック５は、後身頃脇線７のウエストベルト位置３より３．０ｃｍの距離（Ｌ１）だけ下がった位置に取る。
（ハ）第一のタック５より１．５〜２．０ｃｍの距離（Ｌ２）下がった位置に第二のタック６を取る。
（ニ）第一及び第二のタックの幅（Ｔ１，Ｔ２）は背中の曲がり具合にあわせて３．０〜４．０ｃｍの範囲とする。【００１４】  本発明の商品化に当たりやわらかい素材（例えば、化学繊維等）で製作することでタックが目立たなくなるため、好ましい。またデニム素材（ソフトデニムは含まず）、皮革などは素材が硬くタックの縫製の際厚さが生じるので好ましくない。【００１５】  タックの大きさやタックの幅は個人の腰部の湾曲具合に合わせて調節することで一層の着心地を追求することが可能であるが、前述の（イ）〜（ニ）に示した範囲での調節が見た目のバランスを損なうことの無い程度の好ましい数値である。
【産業上の利用可能性】
【００１６】  タック（５，６）は凝り固まった形状を持たないので個人により異なる腰の曲がり具合や腰の曲がった人が腰を起すことや、加齢に伴い腰の曲がり角度が変化したとしても流動的に対応が可能である。【００１７】本発明の製図をもとにズボン（図３）だけでなくズボン下等の肌着を生産することも可能であり、特に肌着は高齢者の腰の冷えを防止する効果が期待できる。
【図面の簡単な説明】
【００１８】
【図１】本発明の腰の曲がった人用のズボン製図
【図２】従来の女性用ズボンとそれを着用した腰の曲がった人
【図３】本発明のズボンとそれを着用した腰の曲がった人
【図４】図１の後身頃の一部を拡大した図
【符号の説明】
【００１９】１  後身頃
２  前身頃
３  ウエストベルト位置
４  中心線
５  第一のタック
６  第二のタック
７  脇線
８  腰の曲がった人のウエストライン
【要約】
【課題】腰部の湾曲によりできてしまう後身頃の脱落による露出をなくし、運動時の脱落による煩わしさをなくし、肌や下着の露出による冷えを感じることを無くすこと。
【解決手段】後身頃（１）のベルト付け位置（３）の脇線（７）より下方にタック（５，６）を入れることにより立体的な形状を実現することができる。ベルト付け位置（３）を基点として約３ｃｍ下げたところに約３ｃｍ〜４ｃｍの幅（背中の丸みにより個人差あり）で第一のタック（５）第一のタック（５）より約１．５ｃｍ〜２．０ｃｍ下げたところに約３ｃｍ〜４ｃｍの幅で第二のタック（６）を設ける。
【選択図】  図１【図１】
0003673872.tif 000002
【図２】
0003673872.tif 000003
【図３】
0003673872.tif 000004
【図４】
0003673872.tif 000005